(57)【要約】  記録媒体Ｐを搬送する搬送部３と、記録媒体の搬送方向Ｘに沿って並んで配置された複数のインク吐出部１とを備え、複数のインク吐出部のそれぞれに、当該インク吐出部の搬送方向の下流側に隣接する吸引機構５を設け、吸引機構の吸引口５１１を、当該吸引機構の搬送方向の下流側に隣接するインク吐出部よりも当該吸引機構の前記搬送方向の上流側に隣接するインク吐出部により近接するように配置した。
2015087862.tif 000002
【特許請求の範囲】
【請求項１】
記録媒体を搬送する搬送部と、
前記記録媒体の搬送方向に沿って並んで配置された複数のインク吐出部とを備え、
前記複数のインク吐出部のそれぞれに、当該インク吐出部の前記搬送方向の下流側に隣接する吸引機構を設け、
前記吸引機構の吸引口を、当該吸引機構の前記搬送方向の下流側に隣接するインク吐出部よりも、当該吸引機構の前記搬送方向の上流側に隣接するインク吐出部に近接する配置としたことを特徴とするインクジェット記録装置。
【請求項２】
前記インク吐出部は、搬送される前記記録媒体の幅方向に沿って並べられた、複数のインクジェットヘッドを保持するヘッドユニットであることを特徴とする請求項１に記載のインクジェット記録装置。
【請求項３】
前記インク吐出部は、搬送される前記記録媒体の幅方向に沿って並んだ複数のノズルを有する単一のインクジェットヘッドであることを特徴とする請求項１に記載のインクジェット記録装置。
【請求項４】
前記インク吐出部と当該インク吐出部の搬送方向下流側に隣接する前記吸引機構とが一体化されていることを特徴とする請求項１から３のいずれか一項に記載のインクジェット記録装置。
【請求項５】
前記インク吐出部と当該インク吐出部の搬送方向下流側に隣接する前記吸引機構とは別々に分離して配置されていることを特徴とする請求項１から３のいずれか一項に記載のインクジェット記録装置。
【請求項６】
前記吸引機構の吸引口の前記搬送方向に直交する方向の幅を、前記インク吐出部がインクの吐出を行うことが可能な吐出領域の前記搬送方向に直交する方向の最大幅よりも広くしたことを特徴とする請求項１から５のいずれか一項に記載のインクジェット記録装置。
【請求項７】
前記インク吐出部は、前記搬送方向に並んだ複数のノズル列を有することを特徴とする請求項１から６のいずれか一項に記載のインクジェット記録装置。
【請求項８】
前記インク吐出部のノズル面と当該インク吐出部の前記搬送方向下流側に隣接する前記吸引機構の吸引口とが同一平面上に沿って並ぶように配置されていることを特徴とする請求項１から７のいずれか一項に記載のインクジェット記録装置。
【請求項９】
前記複数のインク吐出部の全部又は一部に対して、前記下流側に隣接する吸引機構以外の吸引機構を増設したことを特徴とする請求項１から８のいずれか一項に記載のインクジェット記録装置。
【請求項１０】
少なくとも一以上の前記インク吐出部が、主溶媒の密度よりも顔料の密度が大きいインクの吐出を行うことを特徴とする請求項１から９のいずれか一項に記載のインクジェット記録装置。
【請求項１１】
少なくとも一以上の前記インク吐出部が、密度が1.2〜1.5[kg/l]のインクの吐出を行うことを特徴とする請求項１から１０のいずれか一項に記載のインクジェット記録装置。
【請求項１２】
前記密度が1.2〜1.5[kg/l]のインクは、白インクであることを特徴とする請求項１１記載のインクジェット記録装置。
【請求項１３】
前記記録媒体がセラミックタイルであることを特徴とする請求項１から１２のいずれか一項に記載のインクジェット記録装置。
【発明の詳細な説明】
【技術分野】
【０００１】
本発明は、インクジェット記録装置に関する。
【背景技術】
【０００２】
普通紙やプラスチック薄板等の種々の記録媒体に画像を形成することのできるインクジェット記録装置としてインクジェットプリンタがある。インクジェットプリンタは、ヘッドのノズルからドットを形成する主液滴と共に微小なサテライト滴を吐出する場合がある。サテライト滴は、主液滴に比べて微小であるために空気抵抗の影響を受けやすく、吐出してすぐに飛翔速度が減速し、ミストとなって空中を浮遊し、ヘッドのノズル面等に付着する。これがノズルの吐出の不安定化やヘッド周辺の汚損の原因となっていた。【０００３】
このため従来のインクジェット記録装置では、搬送方向に沿って並んだ複数のヘッドユニットの下流側にサテライト滴の吸引機構を設け、内部のファンによりサテライト滴の吸引を行っていた（例えば、特許文献１参照）。
【先行技術文献】
【特許文献】
【０００４】
【特許文献１】特開２０１１−６２９８２号公報
【発明の概要】
【発明が解決しようとする課題】
【０００５】
上記従来のインクジェット記録装置は、記録媒体の搬送方向に沿って並んだ複数のヘッドユニットに対して搬送方向下流側に配置された一台の吸引機構によりサテライト滴の吸引を行っていた。
このため、吸引機構から近いヘッドユニットでは、ノズル面と記録媒体の間に安定した気流が発生してサテライト滴を効果的に吸引することが可能である。しかしながら、吸引機構から離れたヘッドユニットでは、ノズル面と記録媒体の間に安定した気流を形成することができず、サテライト滴が浮遊してヘッド等への付着を十分に抑えることができなかった。また、ノズル面と記録媒体の間に不安定な気流が発生しやすくなり、当該ヘッドユニットによる形成画像の画質低下が生じるという問題も生じていた。
そして、反りを生じやすいものや表面に凹凸があるもの等を記録媒体とする場合には、ヘットユニットは、そのノズル面から記録媒体までの距離を離して配置されるが、ノズル面から記録媒体までの距離を離すほど、その間の気流が安定せず、サテライト滴の付着、気流の不安定化がより顕著となっていた。【０００６】
本発明は、複数のインク吐出部に対してサテライト滴の影響を低減し、画質の向上を図ることをその目的とする。
【課題を解決するための手段】
【０００７】
本発明は、記録媒体を搬送する搬送部と、前記記録媒体の搬送方向に沿って並んで配置された複数のインク吐出部とを備え、前記複数のインク吐出部のそれぞれに、当該インク吐出部の前記搬送方向の下流側に隣接する吸引機構を設け、前記吸引機構の吸引口を、当該吸引機構の前記搬送方向の下流側に隣接するインク吐出部よりも、当該吸引機構の前記搬送方向の上流側に隣接するインク吐出部に近接する配置としたことを特徴とする。【０００８】
また、上記インクジェット記録装置において、前記インク吐出部を、搬送される前記記録媒体の幅方向に沿って並べられた、複数のインクジェットヘッドを保持するヘッドユニットとしても良い。【０００９】
また、上記インクジェット記録装置において、前記インク吐出部を、搬送される前記記録媒体の幅方向に沿って並んだ複数のノズルを有する単一のインクジェットヘッドとしても良い。【００１０】
また、上記インクジェット記録装置において、前記インク吐出部と当該インク吐出部の搬送方向下流側に隣接する前記吸引機構とを一体化しても良い。【００１１】
また、上記インクジェット記録装置において、前記インク吐出部と当該インク吐出部の搬送方向下流側に隣接する前記吸引機構とを別々に分離して配置しても良い。【００１２】
また、上記インクジェット記録装置において、前記吸引機構の吸引口の前記搬送方向に直交する方向の幅を、前記インク吐出部がインクの吐出を行うことが可能な吐出領域の前記搬送方向に直交する方向の最大幅よりも広くしても良い。【００１３】
また、上記インクジェット記録装置において、前記インク吐出部が、前記搬送方向に並んだ複数のノズル列を有する構成としても良い。【００１４】
また、上記インクジェット記録装置において、前記インク吐出部のノズル面と当該インク吐出部の前記搬送方向下流側に隣接する前記吸引機構の吸引口とが同一平面上に沿って並ぶように配置しても良い。【００１５】
また、上記インクジェット記録装置において、前記複数のインク吐出部の全部又は一部に対して、前記下流側に隣接する吸引機構以外の吸引機構を増設しても良い。【００１６】
また、上記インクジェット記録装置において、少なくとも一以上の前記インク吐出部が、主溶媒の密度よりも顔料の密度が大きいインクの吐出を行う構成としても良い。【００１７】
また、上記インクジェット記録装置において、少なくとも一以上の前記インク吐出部が、密度が1.2〜1.5[kg/l]のインクの吐出を行う構成としても良い。【００１８】
また、上記インクジェット記録装置において、前記密度が1.2〜1.5[kg/l]のインクは、白インクとしても良い。【００１９】
また、上記インクジェット記録装置において、前記記録媒体をセラミックタイルとしても良い。
【発明の効果】
【００２０】
本発明は、搬送方向に複数並んで設けられた複数のインク吐出部に対して、個別にその搬送方向下流側に隣接する吸引機構を設けたので、各インク吐出部において生じるサテライト滴を効果的に吸引することができ、各インク吐出部に対するサテライト滴の吸引量の個体差を低減することが可能となる。そして、これにより、全てのインク吐出部でのサテライト滴による汚損の発生を低減する。
また、各吸引機構はその搬送方向下流側に隣接するインク吐出部より搬送方向上流側に隣接するインク吐出部に近接して配置されている。このため、吸引機構から最も近いインク吐出部に対して他の吸引機構からの影響を抑えて吸引を行うことができ、各インク吐出部と記録媒体の間で吸引によって生じる気流を乱れのない安定した状態とすることができ、各インク吐出部によって形成される画像の画質向上を実現することが可能となる。
また、吸引機構から最も近いインク吐出部に対して吸引を行うので、記録媒体の厚さや表面形状に応じてインク吐出部を記録媒体から離して配置した場合でも気流の安定化を実現することが可能となる。
【図面の簡単な説明】
【００２１】
【図１】第一の実施形態としてのインクジェット記録装置の概略を示す模式図である。
【図２】ヘッドユニットを図３のＷ−Ｗ線に沿った断面で図示した側面図である。
【図３】ヘッドユニットを図２のＶ−Ｖ線に沿った断面で図示した平面図である。
【図４】単体のヘッドユニット１の底面図である。
【図５】ヘッドユニットと吸引機構の位置関係を示す説明図である。
【図６】ヘッドユニットと吸引機構とを分離した例であって、ヘッドユニットを図７のＴ−Ｔ線に沿った断面で図示した側面図である。
【図７】ヘッドユニットと吸引機構とを分離した例であって、ヘッドユニットを図６のＳ−Ｓ線に沿った断面で図示した側面図である。
【図８】ヘッドユニットと吸引機構とを分離して配置した場合の位置関係を示す説明図である。
【図９】搬送方向の最も上流側に位置するヘッドユニットに対して吸引機構を増設した例であって、ヘッドユニットを断面で図示した側面図である。
【図１０】インクジェットヘッド及び吸引機構の底面図である。
【図１１】第二の実施形態としてのインクジェット記録装置の概略を示す模式図である。
【図１２】第三の実施形態としてのインクジェット記録装置の概略を示す模式図である。
【図１３】比較試験の結果を示す図表である。
【図１４Ａ】比較試験において木目模様が生じた画像の例を示す。
【図１４Ｂ】比較試験において良好な画像が形成された例を示す。
【図１５Ａ】吸引口の配置が不適切な場合の気流の発生状態を示す説明図である。
【図１５Ｂ】吸引口の配置が適切な場合の気流の発生状態を示す説明図である。
【発明を実施するための形態】
【００２２】
［第一の実施形態］
以下、図面を参照して、第一の実施形態であるインクジェット記録装置１００について説明する。
図１に示すように、インクジェット記録装置１００は、ライン式のインクジェットプリンタであり、インク吐出部としてのインクジェットヘッド１２から記録媒体Ｐに対してインクを吐出し、記録媒体Ｐ上に画像を形成する。ライン式のインクジェットプリンタは、複数のインクジェットヘッドを有するヘッドユニットが搬送方向に直交する媒体幅方向について画像形成可能な最大幅と同じ範囲に渡ってノズルを備えており、当該ヘッドユニットを媒体幅方向に沿って移動させることなく、搬送される記録媒体に画像形成を行うものをいう。
また、下記に例示するインクジェット記録装置１００は、記録媒体Ｐとしてシート状のカット紙或いはフィルム基材の平面に対して画像形成を行う。
なお、以下の説明では、記録媒体Ｐは後述する搬送部３により画像形成位置において水平に搬送されるものとし、当該搬送方向をＸと規定する。また、同じく水平であって搬送方向Ｘに直交する方向を媒体幅方向Ｙとする。
【００２３】
インクジェット記録装置１００は、吐出部としてのヘッドユニット１と、支持フレーム２と、搬送部３と、吸引機構５と、供給部６と、排出部７とを備えている。
【００２４】
［搬送部］
図１に示すように、搬送部３は、各ヘッドユニット１の下方を通過するように記録媒体Ｐを搬送する。
搬送部３は、駆動ローラー３０、従動ローラー３１、駆動ローラー３０と従動ローラー３１とに架け渡された無端状の搬送ベルト３３、駆動ローラー３０を回転させるモーター（図示略）とを備えている。
駆動ローラー３０と従動ローラー３１は、両ローラー３０，３１に掛け渡された搬送ベルト３３のうち、少なくともヘッドユニット１のノズル面（インクの吐出を行う面）に対向する部分が平面をなすように必要な間隔をあけて配置されている。
搬送ベルト３３は、記録媒体Ｐの幅よりも広い幅を有しており、そのベルト面には複数の吸引孔（図示略）が形成されている。搬送ベルト３３の内側には、吸着チャンバ３４を設け、その内部をファンにより負圧にすることによって記録媒体Ｐが搬送ベルト３３上に吸着保持される。
搬送ベルト３３は、モーターの駆動により駆動ローラー３０が回転すると駆動ローラー３０と従動ローラー３１との間を図１における時計回り方向に周回してその上面に載置された記録媒体Ｐを搬送方向Ｘに沿って搬送する。
【００２５】
［供給部］
図１に示すように、供給部６は、搬送部３に対して記録媒体Ｐの搬送方向Ｘにおける上流側に設けられており、搬送部３に記録媒体Ｐを供給するものである。
供給部６は、記録媒体Ｐを積層して収納するカセット６１と、カセット６１から記録媒体Ｐを引き出す引き出しローラー６２と、引き出しローラー６２により引き出された記録媒体Ｐを搬送部３に向けて送る送りローラー６３とを備えている。
カセット６１には、一定の大きさにカットされた記録媒体Ｐが積層されて収納されている。
引き出しローラー６２は、収納された記録媒体Ｐの上面に押し当てられている。引き出しローラー６２は、自身の回転により、記録媒体Ｐとの摩擦力で記録媒体Ｐをカセット６１から引き出す。
送りローラー６３は、記録媒体Ｐの搬送経路を挟んで対向する位置に設けられている。送りローラー６３は一対のローラーからなり、互いに逆方向に回転し、引き出しローラー６２から引き出された記録媒体Ｐを挟持して搬送部３に向けて送り出すことができる。
【００２６】
なお、記録媒体Ｐはカット紙のように所定サイズにカットされたものに限らず、例えばロールから繰り出される帯状の長尺シートでも良い。その場合には、供給部は、ロールを回転可能に支持し、送りローラー６３と同様のローラーにより搬送方向Ｘの下流側に繰り出す構成とすることが望ましい。
【００２７】
［排出部］
図１に示すように、排出部７は、搬送部３に対して記録媒体Ｐの搬送方向Ｘにおける下流側に設けられており、画像の形成が完了した記録媒体Ｐを外部に排出するものである。
排出部７は、画像形成が完了した記録媒体Ｐを搬送ベルト３３から取り出して排出する排出ローラー７１と、画像形成が完了した記録媒体Ｐが載置されるソーター７２とを備えている。
【００２８】
なお、記録媒体Ｐを前述したロールから繰り出される長尺シートとする場合には、排出部７は、画像形成後の記録媒体Ｐをモーターにより巻き取る構成とするか、長尺シートを所定長さでカットする切断部とカットされたシートのストッカーとを有する構成とすることが望ましい。
【００２９】
［ヘッドユニット］
図２はヘッドユニット１の周辺の側面図、図３はその平面図、図４は単体のヘッドユニット１の底面図であり、図２ではヘッドユニット１を図３のＷ−Ｗ線に沿った断面で図示し、図３はヘッドユニット１を図２のＶ−Ｖ線に沿った断面で図示している。
図２及び図３に示すように、五つのヘッドユニット１は、上流側から下流側にかけて順番に、ホワイト（Ｗ）、イエロー（Ｙ）、マゼンタ（Ｍ）、シアン（Ｃ）、ブラック（Ｋ）の各プロセスカラーのインクを内蔵しており、これらの液滴を搬送される記録媒体Ｐに向かって垂直下方に吐出する。
【００３０】
各ヘッドユニット１が内蔵する各色彩のインクはいずれもインクの主溶媒の密度よりも顔料の密度が大きいものが使用される。また、インクの密度は一般に1.1[kg/l]程度だが、各ヘッドユニット１が内蔵する各色彩のインクの密度は1.2〜1.5[kg/l]程度のものが使用される。特に、ホワイト（Ｗ）のインクは顔料に金属を含んでいるため、顔料の密度が主溶媒の密度よりも大きくなり、インクそのものの密度も大きくなる傾向にある。
このように、通常よりも密度が大きく、特に、顔料の密度が主溶媒よりも大きなインクの場合には、吐出の際に、主溶媒中の顔料分散が不均一になりやすいため、液滴がまとまらずサテライトが生じやすい傾向にある。
【００３１】
ヘッドユニット１と吸引機構５とは一体化されている。即ち、一つの筐体１１にヘッドユニット１と吸引機構５の構成が配置されている。この筐体１１は、略直方体状であり、その長手方向が媒体幅方向Ｙに沿った状態で支持フレーム２に取り付けられている。また、筐体１１の底面は水平状態を維持し、その下方に位置する搬送ベルト３３の上面に対して所定の距離を維持した状態で対向している。また、搬送される記録媒体Ｐの反りの発生や凹凸がある場合を考慮して、筐体１１の底面は搬送ベルト３３の上面に対して、記録媒体Ｐの通過に支障がない範囲で近接するように高さが調節されている。
そして、筐体１１の搬送方向Ｘにおける上流側部分はインクジェットヘッド１２の格納部１３となっており、下流側部分は吸引機構５のダクト５１となっている（図５参照）。
【００３２】
上記インクジェットヘッド１２の格納部１３は、その底部が広く開口されており、下方から見ると、図４に示すとおり、開口部の内側に７つのインクジェットヘッド１２が媒体幅方向Ｙに沿って千鳥状に配列されている。
インクジェットヘッド１２は、その全体形状が略直方体状をなし、その底部にはノズル基板１２１が設けられている。また、インクジェットヘッド１２の両端部には格納部１３に固定するためのフランジ１２２が設けられている。
また、インクジェットヘッド１２には、ヘッドユニット１内に設けられた図示しないインク貯留部から供給されるインクをノズル基板１２１に形成された複数のノズルまで導くインク経路と、当該インク経路の途中で内部のインクに吐出圧を付与してインクの液滴を吐出させる駆動機構が内蔵されている。この駆動機構は圧電素子を駆動源としており、ヘッドユニット１には各インクジェットヘッド１２の圧電素子を駆動させる図示しない駆動回路が設けられ、個々のインクジェットヘッド１２の駆動を制御している。
【００３３】
インクジェットヘッド１２は、ノズル基板１２１のノズル面（下側の面）が水平状態を維持し、当該ノズル面が筐体１１の底面と同じ高さとなるように格納部１３内に取り付けられている。
また、ノズル基板１２１のノズル面には、媒体幅方向Ｙに沿って並んで形成されたノズルからなるノズル列が搬送方向Ｘに複数並べられている。各ノズル列のノズルピッチは均一であり、隣接するノズル列は各ノズルの配置が媒体幅方向Ｙについてドットピッチ単位でオフセットしている。なお、ドットピッチとは、このインクジェットヘッド１２によって媒体幅方向Ｙについて形成可能な最小のドット間隔をいう。
インクジェットヘッド１２は、ノズルを上記配置としたことにより、全ノズルからの吐出によって上記ドットピッチでドット列を形成することが可能となっている。
【００３４】
また、筐体１１の格納部１３に千鳥状に配列された７つのインクジェットヘッド１２は、ドット形成領域が媒体幅方向Ｙについてドット形成の隙間を生じないように、端部同士で重複するように配置されている。
そして、これにより、ヘッドユニット１は、媒体幅方向Ｙについて図４に示す画像形成可能な最大幅ｗの範囲ついてドット形成を行うことができる。
【００３５】
［吸引機構］
図５はヘッドユニット１及び吸引機構５を図２と同じ断面で示している。図５に示すように、吸引機構５は、筐体１１の搬送方向Ｘにおける下流側に形成されたダクト５１と、ダクト５１内に設けられたファン５２と、ダクト５１内に吸引したサテライト滴を捕集するフィルター５３とを備えている。
上記ダクト５１は、その内部が空洞であって、筐体１１の底面部から当該ダクト５１内に貫通する吸引口５１１と、ダクト５１の上面に設けられた排気口５１２とを備えている。
ファン５２は、吸引口５１１からダクト５１の内部を通じて排気口５１２へ気体を流動させる方向に送風している。また、フィルター５３は、ダクト５１内を通過する気体が全て通過するようにダクト５１の内壁に取り付けられている。なお、このフィルター５３は、吸引口５１１又は排気口５１２の開口全体を覆うように取り付けても良い。また、フィルター５３は着脱可能とし、交換できるようにしても良い。
【００３６】
吸引口５１１は媒体幅方向Ｙに沿ったスリット状に形成されている。また、この吸引口５１１は、ヘッドユニット１の各インクジェットヘッド１２のノズル基板１２１のノズル面（下側の面）と同じ高さに形成されている。
また、前述したように、五つのヘッドユニット１及び吸引機構５が搬送方向Ｘに沿って並んで配置されているが、各吸引機構５の吸引口５１１は、筐体１１によって一体化されたヘッドユニット１（搬送方向Ｘの上流側で隣接するヘッドユニット１）に最も近接するようにその配置が設定されている。
即ち、図示のように、吸引口５１１から搬送方向Ｘの上流側で隣接するヘッドユニット１までの搬送方向Ｘにおける距離（厳密には、吸引口５１１の搬送方向Ｘにおける中心位置から搬送方向Ｘの上流側で隣接するヘッドユニット１の千鳥配置されたヘッド１２とヘッド１２の丁度中間位置までの搬送方向Ｘにおける距離）をｂとする。
また、吸引口５１１から搬送方向Ｘの下流側で隣接するヘッドユニット１までの搬送方向Ｘにおける距離（厳密には、吸引口５１１の搬送方向Ｘにおける中心位置から搬送方向Ｘの下流側で隣接するヘッドユニット１の千鳥配置されたヘッド１２とヘッド１２の丁度中間位置までの搬送方向Ｘにおける距離）をａとする。
これらの場合、距離ｂが距離ａよりも短くなるように、互いに隣接する各吸引機構５（及びヘッドユニット１）同士の間隔が設定されている。
【００３７】
上記配置により、吸引口５１１は、専ら、当該吸引口５１１の搬送方向Ｘの上流側に隣接するヘッドユニット１から発生するサテライト滴を吸引する。
さらに、吸引口５１１から生じる吸引力は、専ら搬送方向Ｘの上流側に隣接するヘッドユニット１に対して作用し、他のヘッドユニット１に対する吸引力の影響は小さくなる。このため、各ヘッドユニット１は各インクジェットヘッド１２のノズル面と記録媒体Ｐとの間において、搬送方向Ｘの下流側に向かう気流を安定的に形成することができ、各ヘッドユニット１から吐出される主液滴は安定した軌跡で記録媒体Ｐに到達する。
これにより、気流の乱れによって各ヘッドユニット１の主液滴の軌跡を乱す現象が抑えられる。
【００３８】
また、図４に示すように、各吸引機構５の吸引口５１１の媒体幅方向Ｙの開口幅ｋは、前述したヘッドユニット１におけるインクの吐出を行うことが可能な吐出領域の最大幅ｗ（ヘッドユニット１の全てのインクジェットヘッド１２による全てのノズルの媒体幅方向Ｙの分布範囲）よりも広くなっている。そして、吸引口５１１の媒体幅方向Ｙにおける両端部は、ヘッドユニット１の全てのインクジェットヘッド１２による全てのノズルの媒体幅方向Ｙの分布範囲の両端部よりも外側に広がっている。
仮に、吸引口５１１の媒体幅方向Ｙにおける開口幅が十分に広くない場合には、ヘッドユニット１の媒体幅方向Ｙの両端部のノズルは、中央部に比べて吸引機構５による気流の影響が少なく、吐出時の乱れが生じやすい。
しかしながら、上記のように吸引口５１１を全てのノズルの媒体幅方向Ｙの分布範囲よりも外側に広げたことにより、媒体幅方向Ｙの両端部における気流の乱れを低減することができる。
【００３９】
［インクジェット記録装置による画像形成］
上記のインクジェット記録装置１００では、記録媒体Ｐが供給部６から引き出しローラー６２及び送りローラー６３を経て搬送部３に供給される。
搬送部３では、搬送ベルト３３の上部に記録媒体Ｐを吸着しつつ各ヘッドユニット１に向かって搬送する。
各ヘッドユニット１では、その下側を搬送される記録媒体Ｐに対して、各インクジェットヘッド１２のノズルから形成画像に応じて選択的にインクの吐出が行われる。この際、各ヘッドユニット１から主液滴が吐出されると、これに伴って、サテライト滴が発生するが、各ヘッドユニット１の下流側に設けられた吸引機構５により吸引される。
また、各ヘッドユニット１のインクジェットヘッド１２のノズル基板１２１のノズル面と記録媒体Ｐとの間には吸引機構５の吸引により搬送方向Ｘの下流側に向かって一定の気流が発生する。
そして、各ヘッドユニット１により画像形成が行われた記録媒体Ｐは、搬送部３から排出部７に渡り、排出ローラー７１によってソーター７２に排出されて動作が完了する。
【００４０】
［インクジェット記録装置の技術的効果］
上記インクジェット記録装置１００では、各ヘッドユニット１に個別に吸引機構５が併設されているので、それぞれのヘッドユニット１において効果的にサテライト滴の吸引が行われ、ノズル周囲への付着が低減されて、全てのヘッドユニット１においてノズルからのインク吐出を良好に行うことができる。
特に、顔料の密度が主溶媒の密度よりも大きいインク、さらには、密度が1.2〜1.5[kg/l]程度のインクはサテライト滴が発生し易く、このようなインクを吐出する場合でも、効果的にサテライト滴を吸引し、ノズル周囲の汚損を回避して良好なインクの吐出を行うことができる。
【００４１】
また、全てのヘッドユニット１の搬送方向Ｘの下流側に吸引機構５が併設され、各吸引機構５は当該吸引機構５の下流側のヘッドユニット１よりも上流側で隣接するヘッドユニット１に近接するように配置されているので（図５の距離ａ＞距離ｂ）、吸引機構５による吸引力を専ら上流側のヘッドユニット１に作用させることができる。このため、全てのヘッドユニット１について、記録媒体Ｐとの間で搬送方向Ｘの下流側に向かって安定的に気流を発生させることができ、気流が乱れて不安定となることによる主液滴への飛翔状態の影響を低減し、形成される画像の画質を向上させることが可能となる。
【００４２】
また、各吸引機構５の吸引口５１１の媒体幅方向Ｙの開口幅ｋがヘッドユニット１におけるインクの吐出を行うことが可能な吐出領域の最大幅ｗよりも広く、吸引口５１１の両端部はノズルの媒体幅方向Ｙの分布範囲の両端部よりも外側に広がっているので、当該両端部のノズルにおける気流の乱れを低減し、画像形成可能な領域の全幅にわたって画質を高く維持することが可能である。
【００４３】
また、ヘッドユニット１と吸引機構５とが一つの筐体１１に設けられているので、相互間に生じる隙間をなくすことができ、密接配置により省スペース化を図ることが可能となる。
また、一体化しているので、これらヘッドユニット１と吸引機構５との取り付け時における相互の位置調節を不要とし、取り付け作業を容易且つ迅速に行うことが可能となる。
また、ヘッドユニット１のノズル面と吸引機構５の吸引口５１１とが同一平面上となるように配置する場合でも、予め一体化されている場合には相互の位置決め作業を不要とし、取り付け作業をより簡易に行うことが可能となる。
【００４４】
また、吸引機構５の吸引口５１１と当該吸引機構５の搬送方向上流側で隣接するヘッドユニット１の各インクジェットヘッド１２のノズル基板１２１のノズル面とが同一平面上に沿って並ぶように配置されているので、吸引機構５による吸引時に、同一平面に沿って気流を発生させることができ、より安定的な気流を発生させることが可能となる。
【００４５】
また、各ヘッドユニット１の各インクジェットヘッド１２は、媒体幅方向Ｙに沿ったノズル列が搬送方向Ｘに複数並んで形成されているので、ノズルをドットピッチと等しい高密度ピッチで形成することなく、微小なドットピッチを実現することが可能である。
また、複数のノズル列を並べた場合、インク吐出時にサテライト滴が生じやすいが、各ヘッドユニット１に吸引機構５が併設されているので、これらのサテライト滴を効果的に吸引することができる。
【００４６】
また、各ヘッドユニット１の中で白インクの吐出を行うヘッドユニット１を搬送方向Ｘの最も上流側に配置しているので、形成画像の背景を白くコーティングすることが可能となる。
また、白インクは前述のように顔料に金属を含み、顔料の密度の増大、さらにはインクそのものの密度の増大を生じる。そして、そのようなインクは吐出時にサテライト滴を生じやすい性質があるが、各ヘッドユニット１に吸引機構５が併設されているので、これらのサテライト滴を効果的に吸引することができる。
【００４７】
［ヘッドユニットと吸引機構の他の配置例］
なお、本発明は、上記実施形態に限定されることなく、本発明の趣旨を逸脱しない範囲において、種々の改良並びに設計の変更を行っても良い。
例えば、図６及び図７に示すように、各ヘッドユニット１と各吸引機構５とは、それぞれ別の筐体１４，１５に個別に格納して、分離した配置としても良い。この場合も、図８に示すように、各吸引機構５について、吸引口５１１から搬送方向Ｘの下流側で隣接するヘッドユニット１までの搬送方向Ｘにおける距離ａよりも吸引口５１１から搬送方向Ｘの上流側で隣接するヘッドユニット１までの搬送方向Ｘにおける距離ｂが短くなるように配置することが望ましい。
吸引機構５を分離配置した場合も、インク吐出時のサテライト滴の吸引を良好に行い、各ヘッドユニット１と記録媒体Ｐとの間の気流の安定化を図り、形成画像の画質向上を図ることが可能である。
さらに、ヘッドユニット１の筐体１４と吸引機構５の筐体１５との間に隙間が形成されているので、吸引時にこの隙間からの気流がヘッドユニット１からの気流を加速させ、サテライト滴をより良好に吸引することが可能となる。
また、メンテナンス時において、ヘッドユニット１の筐体１４と吸引機構５の筐体１５のいずれか必要な方だけを取り外すことができ、作業効率を向上させることができる。また、同様に、ヘッドユニット１又は吸引機構５が不良或いは故障を生じた場合に、ヘッドユニット１又は吸引機構５のみを交換することができ、コスト性が良いという利点がある。
【００４８】
［ヘッドユニットに対して吸引機構を増設した例］
なお、図１のインクジェット記録装置１００では、各ヘッドユニット１に対して搬送方向Ｘの下流側に一つの吸引機構５を設ける場合を例示したが、これに限定されるものではない。
例えば、図９に示すように、最も搬送方向Ｘの上流側のヘッドユニット１に対して、その上流側に隣接して新たな吸引機構５Ｄを新たに併設してもよい。
【００４９】
各ヘッドユニット１は下流側に隣接する吸引機構５により、ヘッドユニット１の下側では搬送方向Ｘの下流側に向かう気流が発生し、サテライト滴は殆どが下流側に向かって吸引機構５に捕集されるが、僅かながらにサテライト滴の一部が搬送方向Ｘの上流側にも飛翔する。その場合、各ヘッドユニット１では、その上流側配置された他のヘッドユニット１の吸引機構５によりサテライト滴が吸引されるため、インクジェットヘッド１２への付着は回避される。しかしながら、最も搬送方向Ｘの上流側のヘッドユニット１だけは、その上流側に吸引機構５が存在しないので、当該ヘッドユニット１の上流側に飛散したサテライト滴は吸引されずに機内のいずれかに付着するおそれがある。
そこで、最も上流側のヘッドユニット１に対して新たな吸引機構５Ｄの増設を図っている。
【００５０】
この吸引機構５Ｄは、筐体１１の搬送方向Ｘにおける上流側に形成されたダクト５１Ｄと、ダクト５１Ｄ内に設けられたファン５２Ｄと、ダクト５１Ｄ内に吸引したサテライト滴を捕集するフィルター５３Ｄとを備えている。
ダクト５１Ｄは、ダクト５１と同様に、その底面部に吸引口５１１Ｄ、上面部に排気口５１２Ｄを備えている。
そして、吸引口５１１Ｄは媒体幅方向Ｙに沿ったスリット状であり、吸引口５１１と同じ高さ且つ媒体幅方向Ｙについて同じ幅で形成されている。
そして、図９に示すように、吸引口５１１Ｄから搬送方向Ｘの下流側で隣接するヘッドユニット１までの搬送方向Ｘにおける距離（吸引口５１１Ｄの搬送方向Ｘにおける中心位置から搬送方向Ｘの下流側で隣接するヘッドユニット１の千鳥配置されたヘッドとヘッドの丁度中間位置までの搬送方向Ｘにおける距離）は、前述した距離ａと距離ｂのいずれよりも長くして、ヘッドユニット１から十分に離れるように配置されている。
即ち、このように吸引口５１１Ｄの距離を十分に離すことにより、他のヘッドユニット１への影響を低減させている。これにより、全てのヘッドユニット１の下側に生じる気流の均一化、安定化を図りつつも、搬送方向Ｘの上流側位飛散したサテライト滴の吸引も実現している。
【００５１】
なお、搬送方向Ｘの最も上流側のヘッドユニット１に限らず、他のヘッドユニット１にも新たな吸引機構の増設を図ってもよい。その場合には、新たに増設される吸引機構は、他のヘッドユニット１の下側に発生する気流への影響が少なくなるように配置することが望ましい。
【００５２】
［インク吐出部の他の例］
前述したインク吐出部としてのヘッドユニット１は、格納部１３内に複数のインクジェットヘッド１２を備える構成としたが、これに限らず、インク吐出部を図１０に示す単体のインクジェットヘッド１２Ａから構成しても良い。
このインクジェットヘッド１２Ａは、その全体形状が媒体幅方向Ｙについてインクジェットヘッド１２よりも長い略直方体状をなしている。また、インクジェットヘッド１２Ａは、その底部にノズル基板１２１Ａが設けられ、その両端部には格納部１３に固定するためのフランジ１２２Ａが設けられている。
ノズル基板１２１Ａには、媒体幅方向Ｙに沿った複数のノズル列が搬送方向Ｘに並んで形成され、ノズル基板１２１Ａ単体により画像形成可能な最大幅ｗの範囲ついてドット形成を行う。また、インクジェットヘッド１２Ａには、インクをノズル基板１２１Ａの各ノズルまで導くインク経路と、インクの液滴を吐出させる駆動機構とが内蔵されている。
なお、この図１０では、インクジェットヘッド１２Ａが筐体１１の格納部１３に格納される場合を例示したが、インクジェットヘッド１２Ａは筐体に格納しなくとも良い。また、吸引機構５は、前述した分離式の筐体１５に格納することも可能である（図６〜８参照）。
【００５３】
［第二の実施形態］
第二の実施形態であるインクジェット記録装置１００Ｂについて説明する。このインクジェット記録装置１００Ｂの構成について、前述したインクジェット記録装置１００と同一の構成については同じ符号を付して、重複する説明は省略する。
【００５４】
インクジェット記録装置は記録媒体Ｐをベルトにより搬送する構成に限られるものではなく、例えば、図１１に示すように、ドラム方式のライン式インクジェットプリンタにも適用可能である。
この場合、インクジェット記録装置１００Ｂは、ホワイト（Ｗ）、イエロー（Ｙ）、マゼンタ（Ｍ）、シアン（Ｃ）、ブラック（Ｋ）のインク吐出を行う五つのヘッドユニット１と、支持フレーム２Ｂと、搬送部３Ｂと、各ヘッドユニット１の搬送方向下流側に設けられた五つの吸引機構５と、供給部６と、排出部７とを備えている。なお、ヘッドユニット１、吸引機構５、供給部６、排出部７の構成及び機能は上記のインクジェット記録装置１００と同様であるため、説明を省略する。
【００５５】
上記搬送部３Ｂは、図示しないモーターの駆動により図１１における時計方向（搬送方向Ｘとする）に回転し、記録媒体Ｐをその外周面に密着させた状態で各ヘッドユニット１に搬送する搬送ドラム３１Ｂと、供給部６から搬送ドラム３１Ｂにかけて記録媒体Ｐを搬送する第一の中継部３２Ｂと、搬送ドラム３１Ｂから排出部７にかけて記録媒体Ｐを搬送する第二の中継部３３Ｂとを備えている。
なお、この第二の実施形態では、搬送方向Ｘは水平とならず、搬送ドラム３１Ｂの外周面に沿った円周方向となる。また、媒体幅方向Ｙは搬送ドラム３１Ｂの回転中心線に沿った方向となる。
上記搬送ドラム３１Ｂは、その表面全体にわたって記録媒体Ｐのサイズに合わせた領域に小さな孔が多数穿孔され、搬送ドラム３１Ｂの内側から吸引することで記録媒体Ｐを搬送ドラム３１Ｂの表面に密着させて搬送する。
また、記録媒体Ｐの先端部を爪の様な部材（図示せず）で挟持して搬送してもよい。
【００５６】
第一の中継部３２Ｂは、供給部６の送りローラー６３から繰り出された記録媒体Ｐを搬送ドラム３１Ｂの外周面に案内するガイド３２１Ｂと、記録媒体Ｐを搬送ドラム３１Ｂの外周面に密着させる圧接ローラー３２２Ｂとを備えている。
【００５７】
また、第二の中継部３３Ｂは、剥離ローラー３３１Ｂと、中継ベルト３３２Ｂと、中継ベルト３３２Ｂから排出部７まで記録媒体Ｐを案内するガイド３３３Ｂと、ガイド３３３Ｂの各部に設けられたローラー対３３４Ｂとを備えている。
上記剥離ローラー３３１Ｂは、図示しないモーターにより回転駆動が可能である。また、この剥離ローラー３３１Ｂは、搬送ドラム３１Ｂの外周面における各ヘッドユニット１の搬送方向Ｘの下流側であって第一の中継部３２Ｂの圧接ローラー３２２Ｂよりも搬送方向Ｘの上流側に設けられている。そして、この剥離ローラー３３１Ｂは、内部を減圧され、その外周面に設けられた小孔により記録媒体Ｐを吸着し、搬送ドラム３１Ｂから剥離させる。また、この剥離ローラー３３１Ｂは、その外周面下部に位置する中継ベルト３３２Ｂとの接触位置で吸着状態を解除して中継ベルト３３２Ｂ側に記録媒体Ｐを受け渡すことが可能となっている。
中継ベルト３３２Ｂは、その両端部が駆動源を備える一対のローラーに張設されており、当該中継ベルト３３２Ｂの上部に記録媒体Ｐを載置した状態でガイド３３３Ｂまで搬送することができる。
ガイド３３３Ｂの各所に設けられたローラー対３３４Ｂはいずれも図示しないモーターにより駆動を行い、ガイド３３３Ｂに沿って記録媒体Ｐを排出部７まで搬送することが可能となっている。
【００５８】
各ヘッドユニット１は、インクジェットヘッド１２のノズル面が搬送ドラム３１Ｂの外周面に対向するように配置されており、搬送方向Ｘの上流側から順番に、ホワイト（Ｗ）、イエロー（Ｙ）、マゼンタ（Ｍ）、シアン（Ｃ）、ブラック（Ｋ）の各プロセスカラーのインクを内蔵している。また、各ヘッドユニット１の搬送方向Ｘの下流側に一体的に吸引機構５が設けられている。
【００５９】
上記インクジェット記録装置１００Ｂは、供給部６から第一の中継部３２Ｂを経て搬送ドラム３１Ｂに記録媒体Ｐを供給し、搬送ドラム３１Ｂは記録媒体Ｐを吸着しつつ各ヘッドユニット１に向かって搬送する。
各ヘッドユニット１では、その下側を搬送される記録媒体Ｐに対して、各インクジェットヘッド１２のノズルから形成画像に応じて選択的にインクの吐出が行われる。この際、発生するサテライト滴は、各ヘッドユニット１の下流側に設けられた吸引機構５により吸引される。また、各ヘッドユニット１と記録媒体Ｐとの間には吸引機構５の吸引により搬送方向Ｘの下流側に向かって一定の気流が発生する。
そして、記録媒体Ｐに画像形成が行われた後には、第二の中継部３３Ｂを経て記録媒体Ｐは排出部７に渡り、排出ローラー７１によってソーター７２に排出されて動作が完了する。
【００６０】
このように、ドラム搬送式のインクジェット記録装置１００Ｂの場合も、インクジェット記録装置１００と同じ技術的効果を得ることが出来る。
即ち、インクジェット記録装置１００Ｂは、各ヘッドユニット１からのサテライト滴が吸引機構５により効果的に吸引され、各インクジェットヘッド１２に対する付着を防止して、良好なインク吐出を実現する。
また、各ヘッドユニット１と記録媒体Ｐとの間で安定した気流を維持し、形成画像の画質向上を実現することが可能である。
【００６１】
［第三の実施形態］
第三の実施形態であるインクジェット記録装置１００Ｃについて図１２に基づいて説明する。このインクジェット記録装置１００Ｃの構成について、前述したインクジェット記録装置１００と同一の構成については、同じ符号を付して重複する説明は省略するものとする。
前述したインクジェット記録装置１００，１００Ｂはいずれも記録媒体として紙又はシート体を対象としていたが、このインクジェット記録装置１００Ｃでは、セラミックタイルからなる記録媒体Ｑに対して画像形成を行う。
このインクジェット記録装置１００Ｃは、各ヘッドユニット１、支持フレーム２、搬送部３、各吸引機構５についてはインクジェット記録装置１００と同一の構成である。
但し、セラミックタイルの記録媒体Ｑは紙やシート体よりも厚みがあるので、各ヘッドユニット１及び吸引機構５は、搬送ベルト３３の上面に対して、記録媒体Ｑの厚み分だけ余分に離して配置している。
【００６２】
このインクジェット記録装置１００Ｃは、搬送部３に記録媒体Ｑを供給する供給部６Ｃと、搬送部３から記録媒体Ｑを機外に排出する排出部７Ｃとが前述した供給部６及び排出部７と異なっている。
即ち、セラミックタイルは厚みがあって硬質なので、供給部６Ｃは、記録媒体Ｑの下面に接するローラー６２Ｃ及び６３Ｃによりトレー６１Ｃにセットされた記録媒体Ｑを搬送部３に搬送する。
同様に、排出部７Ｃは、画像が形成された記録媒体Ｑの下面に接するローラー７１Ｃによりトレー７２Ｃに排出する。
【００６３】
セラミックタイルである記録媒体Ｑは、画像形成後に焼成工程が控えているので、各ヘッドユニット１が吐出するインクは焼成に適したものが使用される。この焼成用インクは、顔料の密度が主溶媒の密度よりも大きく、インクそのものの密度も高いものが使用される（例えば、1.2〜1.5[kg/l]）。
上記のような顔料密度及びインクそのものの密度が大きなインクは、インク吐出時に、主溶媒中の顔料分散が不均一になりやすいため、液滴がまとまらずサテライトが生じやすく、インクジェットヘッド１２の汚損が生じやすいが、各ヘッドユニット１の搬送方向Ｘの下流側に隣接して吸引機構５を設けているので、サテライト滴を効果的に吸引し、その汚損及び汚損による吐出不良の発生を効果的に抑制することが可能である。
また、このインクジェット記録装置１００Ｃの場合も、各ヘッドユニット１の下側の気流の安定化を図り、画質の向上を図ることが可能である。
【００６４】
[比較試験]
次に、インクジェット記録装置１００の構成を使用して、ヘッドユニット１に対する吸引機構５の配置を変更した各種のパターンによる比較試験の結果を図１３に示す。
この比較試験では、ヘッドユニット１と吸引機構５を一つの筐体１１に一体的に格納した場合（図５の例）とヘッドユニット１と吸引機構５とを個別の筐体１４，１５に格納して分離させた場合（図６〜８の例）とについて、吸引口５１１から搬送方向Ｘの下流側で隣接するヘッドユニット１までの搬送方向Ｘにおける距離ａと吸引口５１１から搬送方向Ｘの上流側で隣接するヘッドユニット１までの搬送方向Ｘにおける距離ｂとの大小関係を変更して比較を行った。
即ち、ヘッドユニット１と吸引機構５の筐体を一体化した構成（以下、一連構造という）とヘッドユニット１と吸引機構５の筐体を分離した構成（以下、独立構造という）とについて、それぞれ、距離ａ＞距離ｂ、距離ａ＝距離ｂ、距離ａ＜距離ｂの３パターンを用意し，これらについて比較を行った。
上記試験では、ヘッドユニット１の各インクジェットヘッド１２のドットピッチは360[dpi]×360[dpi]であり、記録媒体Ｐの搬送速度を24[m/s]、印字率100％の状態で10分間連続して画像形成を行い、その間に気流の乱れによって画質に乱れを生じた状態（いわゆる木目模様）が生じたか否かを判定した。参考のために、図１４Ａに木目模様の画像を示し、図１４Ｂに良好な画像を示す。
【００６５】
図１３に示すように、一連構造で距離をａ＜ｂとした場合には、良好な形成画像が得られず、その上、インクジェットヘッド１２の吐出不良によって10分間の画像形成を継続することができなかった。
また、一連構造で距離をａ＝ｂとした場合には形成画像中に木目模様が発生して正しく画像形成が行われず、ａ＞ｂとした場合のみ全体を通じて良好な画像形成が行われた。
【００６６】
また、独立構造で距離をａ＜ｂとした場合も吐出不良によって10分間の画像形成を継続することができず、ａ＝ｂとした場合には形成画像中に木目模様が発生して正しく画像形成が行われず、ａ＞ｂとした場合のみ全体を通じて良好な画像形成が行われた。
【００６７】
これらの結果により、ヘッドユニット１に対する吸引機構５の吸引口５１１の搬送方向Ｘの距離が重要であることが明確となった。即ち、図１５Ａに示すように、吸引機構５の吸引口５１１が搬送方向Ｘの上流側で隣接するヘッドユニット１に対して最も近接する配置とならない場合には、ヘッドユニット１は搬送方向Ｘの上流側と下流側とから吸引力を受けて双方向の気流が発生して乱れを生じ、インクジェットヘッド１２から吐出された液滴は気流が乱れた状態の中を飛翔するために木目模様が発生する。
一方、図１５Ｂに示すように、吸引機構５の吸引口５１１が搬送方向Ｘの上流側で隣接するヘッドユニット１に対して最も近接する配置となる場合には、ヘッドユニット１に対して専ら搬送方向Ｘの下流側から吸引力を受けて当該下流側へ向かう気流が安定的に発生し、インクジェットヘッド１２から吐出された液滴は下流側に向かう安定した気流の中を飛翔するために木目模様が発生することなく良好な画質を得ることができる。
【００６８】
［その他］
なお、ヘッドユニット１の配列順序は、適宜変更することも可能である。また、使用されるインクの色、色数はこれに限定されず、例えば、淡いインクであるライトイエロー（ＬＹ）、ライトマゼンタ（ＬＭ）、ライトシアン（ＬＣ）等の他の色を使用することも可能である。
また、ホワイト（Ｗ）による下塗りが不要である場合には、ホワイト（Ｗ）のヘッドユニット１を除いた構成としても良い。
【００６９】
また、一部又は全部のヘッドユニット１について、密度が1.2[kg/l]未満のインクを吐出する構成としても良いし、一部又は全部のヘッドユニット１について、顔料の密度が主溶媒の密度以下のインクを吐出する構成としても良い。これらのインクもサテライト滴は生じ得るので、その場合でも効果的に吸引可能である。また、各ヘッドユニット１の下方の気流の安定化を図り画質向上を図ることが可能である。
【産業上の利用可能性】
【００７０】
以上のように、本発明は、複数のインク吐出部に対してサテライト滴の影響を低減し、画質の向上を図ることができるインクジェット記録装置を提供することに適している。
【符号の説明】
【００７１】
１  ヘッドユニット（インク吐出部）
３，３Ｂ  搬送部
５，５Ｄ  吸引機構
６，６Ｃ  供給部
７，７Ｃ  排出部
１１  筐体
１２  インクジェットヘッド
１２Ａ  インクジェットヘッド（インク吐出部）
１３  格納部
１４，１５  筐体
５１，５１Ｄ  ダクト
５２，５２Ｄ  ファン
５３，５３Ｄ  フィルター
５１１  吸引口
５１２  排気口
１００，１００Ｂ，１００Ｃ  インクジェット記録装置
１２１，１２１Ａ  ノズル基板
ａ  距離
ｂ  距離
ｋ  開口幅
Ｐ，Ｑ  記録媒体
ｗ  最大幅
Ｘ  搬送方向
Ｙ  媒体幅方向（記録媒体の幅方向）
【図１】
2015087862.tif 000003
【図２】
2015087862.tif 000004
【図３】
2015087862.tif 000005
【図４】
2015087862.tif 000006
【図５】
2015087862.tif 000007
【図６】
2015087862.tif 000008
【図７】
2015087862.tif 000009
【図８】
2015087862.tif 000010
【図９】
2015087862.tif 000011
【図１０】
2015087862.tif 000012
【図１１】
2015087862.tif 000013
【図１２】
2015087862.tif 000014
【図１３】
2015087862.tif 000015
【図１４Ａ】
2015087862.tif 000016
【図１４Ｂ】
2015087862.tif 000017
【図１５Ａ】
2015087862.tif 000018
【図１５Ｂ】
2015087862.tif 000019
【国際調査報告】
2015087862.tif 000020
2015087862.tif 000021
2015087862.tif 000022
2015087862.tif 000023